(57)【特許請求の範囲】
【請求項１】
交流電源を整流する整流器と、前記整流器の出力端に接続され平滑コンデンサを含んでなる直流電源回路と、前記交流電源から前記平滑コンデンサを充電する経路に接続されるスイッチング素子と、少なくとも前記スイッチング素子を含み前記直流電源回路の出力端に接続されるインバータ回路と、前記インバータ回路の出力端に接続され放電灯を含んでなるインバータ負荷と、前記放電灯のフィラメントを介して前記直流電源回路の両端に接続される無負荷検出回路と、前記交流電源から前記平滑コンデンサを充電する経路に接続されるプリチャージ回路とを備え、前記交流電源の電源投入から一定時間は、前記プリチャージ回路により前記平滑コンデンサを充電すると共に前記インバータ回路の発振を停止し、前記一定時間経過後は、前記スイッチング素子により前記平滑コンデンサを充放電すると共に前記インバータ回路を発振する放電灯点灯装置において、前記無負荷検出回路は、前記直流電源回路から前記放電灯のフィラメントを介して直流電流を流し、前記直流電流のコンデンサへの充電電圧が基準電圧以下の場合に無負荷と検出するものであり、前記無負荷検出回路と前記プリチャージ回路との間に、直流電圧あるいは直流電流の少なくとも一方を遮断する遮断手段を設けたことを特徴とする放電灯点灯装置。
【請求項２】
前記遮断手段は、コンデンサであることを特徴とする請求項１記載の放電灯点灯装置。
【請求項３】
前記遮断手段は、ダイオードであることを特徴とする請求項１記載の放電灯点灯装置。
【請求項４】
インピーダンス素子と前記インバータ負荷を構成する振動要素と前記インバータ回路とを介して前記交流電源から入力電流を通電する電流経路を設けたことを特徴とする請求項１記載の放電灯点灯装置。
【請求項５】
前記無負荷検出回路は、前記インバータ負荷を構成する直流カット用コンデンサの両端電圧を検出することにより、前記放電灯のフィラメントの接続の有無を判断するものであることを特徴とする請求項１記載の放電灯点灯装置。
【請求項６】
前記直流電源回路と前記スイッチング素子とで降圧チョッパ回路を構成することを特徴とする請求項１記載の放電灯点灯装置。
【発明の詳細な説明】
【０００１】
【発明の属する利用分野】
本発明は放電灯点灯装置に関する。
【０００２】
【従来の技術】
本発明に係る従来例の回路図を図１０に示す。
【０００３】
本回路構成は、以下の通りである。交流電源Ｖｓの両端に整流器ＤＢが並列接続され、整流器ＤＢの出力端間にコンデンサＣ１が並列接続され、コンデンサＣ１の両端に電解効果トランジスタ（以下、スイッチング素子と呼ぶ。）Ｑ１、Ｑ２の直列回路が並列接続され、スイッチング素子Ｑ１の両端にダイオードＤ２が逆並列接続され、ダイオードＤ２の両端にインダクタＬ１及び平滑コンデンサＣ２の直列回路が並列接続され、スイッチング素子Ｑ２の両端にダイオードＤ１が逆並列接続される。ここに、インダクタＬ１と平滑コンデンサＣ２とダイオードＤ１、Ｄ２と、スイッチング素子Ｑ２とで降圧チョッパ回路が構成される。また、コンデンサ１と前記降圧チョッパ回路とで部分平滑直流電源が構成される。スイッチング素子Ｑ２の両端には、インダクタＬ２及び放電灯Ｌａ及びコンデンサ４の直列回路が並列接続され、放電灯Ｌａの非電源側端子間には予熱用コンデンサ（以下、コンデンサと呼ぶ。）Ｃ３が接続される。ここに、インダクタＬ２と放電灯ＬａとコンデンサＣ３とコンデンサＣ４とでインバータ負荷回路が構成される。また、スイッチング素子Ｑ１、Ｑ２は制御回路２により交互にオンオフされる。なお、コンデンサＣ４は直流カット用コンデンサである。
【０００４】
更に、本回路では、放電灯Ｌａの各々のフィラメントｆ１、ｆ２に無負荷検出回路が接続されている。フィラメントｆ１については、コンデンサＣ１の両端に、抵抗Ｒ２及びフィラメントｆ１及び抵抗Ｒ３及びツェナーダイオードＺＤ１からなる直列回路が接続され、ダイオードＤ３を介してツェナーダイオードＺＤ１の両端にコンデンサＣ５が接続され、コンデンサＣ５の両端に抵抗Ｒ４が接続されている。コンデンサＣ５の両端電圧が、無負荷検出回路の出力となって検出部１に供給される。フィラメントｆ２については、コンデンサＣ１の両端に、抵抗Ｒ５及びフィラメントｆ２及び抵抗Ｒ６及びツェナーダイオードＺＤ２からなる直列回路が接続され、ダイオードＤ４を介してツェナーダイオードＺＤ２の両端にコンデンサＣ６が接続され、コンデンサＣ６の両端に抵抗Ｒ７が接続されている。コンデンサＣ６の両端電圧が、無負荷検出回路の出力となって検出部２に供給される。そして、検出部１、２からの出力が制御回路２に供給される。
【０００５】
更にまた、スイッチング素子Ｑ２の両端に抵抗Ｒ１及び電解効果トランジスタ（以下、スイッチング素子と呼ぶ。）Ｑ３の直列回路が接続されている。この直列回路をプリチャージ回路とする。スイッチング素子Ｑ３は制御回路１によってオンオフされる。また、制御回路１からの信号は制御回路２にも供給される。
【０００６】
次に、動作を簡単に接続する。
まず、交流電源Ｖｓを電源投入すると、制御回路１からスイッチング素子Ｑ３のゲートに一定期間だけオン駆動信号が供給され、スイッチング素子Ｑ３がオンする。スイッチング素子Ｑ３がオンすると、整流器ＤＢの出力端からインダクタＬ１→平滑コンデンサＣ２→抵抗Ｒ１→スイッチング素子Ｑ３を介して入力電流が流れ、抵抗Ｒ１及び平滑コンデンサＣ２の時定数によって平滑コンデンサＣ２を充電する。また、スイッチング素子Ｑ３がオン状態で平滑コンデンサＣ２を充電している間は、制御回路１にタイマー機能を持たせ、スイッチング素子Ｑ１、Ｑ２を一定時間発振停止とする。以後、この様なスイッチング素子Ｑ１、Ｑ２を発振停止としスイッチング素子Ｑ３をオン状態とする一定期間をプリチャージ期間と呼ぶ。なお、プリチャージ回路は、交流電源Ｖｓから平滑コンデンサＣ２を充電する充電電流がスイッチング素子Ｑ２の突入電流になることを防止する為のものである。
【０００７】
プリチャージ期間が終了すると、制御回路２は、制御回路１からプリチャージ期間終了という信号を受けて、スイッチング素子Ｑ１、Ｑ２のゲート端子に高周波のオンオフ駆動信号を送り、スイッチング素子Ｑ１、Ｑ２は交互に高周波でオンオフを開始する。同時にスイッチング素子Ｑ３はオフする。そして、スイッチング素子Ｑ２が高周波でオンオフすることにより、降圧チョッパ回路が動作する。スイッチング素子Ｑ２がオンのとき、整流器ＤＢ→インダクタＬ１→平滑コンデンサＣ２→スイッチング素子Ｑ２→整流器ＤＢの経路で入力電流が流れ、スイッチング素子Ｑ２がオフのとき、インダクタＬ１→平滑コンデンサＣ２→ダイオードＤ２→インダクタＬ１の経路で電流が流れる。これにより、平滑コンデンサＣ２には降圧チョッパ回路による直流電圧が発生し、コンデンサＣ１の両端には部分平滑電圧（以下、電圧と呼ぶ。）Ｖｃ１が発生する。電圧Ｖｃ１を受けて、スイッチング素子Ｑ１、Ｑ２が高周波でオンオフすることにより、スイッチング素子Ｑ２及びコンデンサＣ４の直列回路の両端には、高周波の矩形波電圧（以下、電圧と呼ぶ。）Ｖ１が発生し、インダクタＬ２及びコンデンサＣ３を介して電圧Ｖ１を供給することにより、放電灯Ｌａが点灯する。
【０００８】
無負荷検出回路の動作は以下の通りである。
フィラメントｆ１が接続されている場合には、電圧Ｖｃ１から抵抗Ｒ２、フィラメントｆ１、抵抗Ｒ３、ダイオードＤ３を介してコンデンサＣ５が充電される。そして、プリチャージ期間の終了時に、コンデンサＣ５の両端電圧（以下、電圧と呼ぶ。）Ｖｃ５と検出部１の基準電圧と比較し、電圧Ｖｃ５が検出部１の基準電圧よりも高ければ、検出部１は無負荷ではないと判断し、検出部１の検出出力はハイレベルとなる。 フィラメントｆ２が接続されている場合には、電圧Ｖｃ１から抵抗Ｒ５、フィラメントｆ２、抵抗Ｒ６、ダイオードＤ４を介してコンデンサＣ６が充電される。そして、プリチャージ期間の終了時に、コンデンサＣ６の両端電圧（以下、電圧と呼ぶ。）Ｖｃ６と検出部２の基準電圧と比較し、電圧Ｖｃ６が検出部２の基準電圧よりも高ければ、検出部２は無負荷ではないと判断し、検出部２の検出出力はハイレベルとなる。検出部１と検出部２との検出出力がハイレベルの場合は、制御回路２を介してスイッチング素子Ｑ１、Ｑ２のオンオフ動作を開始する。一方、フィラメントｆ１が未接続の場合、コンデンサＣ５の充電経路は遮断される為に充電が行われない。そして、プリチャージ期間の終了時に、電圧Ｖｃ５と検出部１の基準電圧と比較し、電圧Ｖｃ５が検出部１の基準電圧よりも低いければ、検出部１は無負荷状態と判断し、検出部１の検出出力はローレベルとなる。 フィラメントｆ２が未接続の場合、コンデンサＣ６の充電経路は遮断される為に充電が行われない。そして、プリチャージ期間の終了時に、電圧Ｖｃ６と検出部２の基準電圧と比較し、電圧Ｖｃ６が検出部２の基準電圧よりも低いければ、検出部２は無負荷状態と判断し、検出部２の検出出力はローレベルとなる。検出部１と検出部２との検出出力のうち、少なくとも一方がローレベルの場合は、制御回路２を介してスイッチング素子Ｑ１、Ｑ２のオンオフ動作を停止する。つまり、インバータ回路の発振を停止する。
【０００９】
【発明が解決しようとする課題】
しかし、上記従来例には、以下の様な問題点が生じてしまう。
【００１０】
プリチャージ期間中でスイッチング素子Ｑ３がオン状態にあるとき、本来、抵抗Ｒ２、フィラメントｆ１、抵抗Ｒ３、ツェナーダイオードＺＤ１で決まるはずのフィラメントｆ１の直流電位が抵抗Ｒ１の影響で低下してしまう為、有負荷状態であるにも関わらずコンデンサＣ５への充電電流が減少し、結果として、プリチャージ期間終了時において電圧Ｖｃ５が検出部１の基準電圧よりも下回ってしまい、無負荷であると誤検知してしまう。つまり、無負荷検出回路としては、電圧Ｖｃ１から抵抗Ｒ２、フィラメントｆ１、抵抗Ｒ３、ダイオードＤ３を介してコンデンサＣ５が充電されるように構成されているが、プリチャージ回路が存在するプリチャージ期間においては、抵抗Ｒ２を流れる電流は、フィラメントｆ１、抵抗Ｒ３、ダイオードＤ３を介してコンデンサＣ５に流れる電流と、インダクタＬ２、抵抗Ｒ１、スイッチング素子Ｑ３を介して流れる電流とに分かれてしまうため、コンデンサＣ５への充電電流が減少してしまう。
【００１１】
本発明は、上記問題点に鑑みてなされたものであり、その目的とするところは、無負荷検出回路とプリチャージ回路とを備え、プリチャージ期間中にも正常に無負荷検出が可能な放電灯点灯装置を提供することである。
【００１２】
【課題を解決するための手段】
上記問題点を解決するために、請求項１記載の発明によれば、交流電源を整流する整流器と、前記整流器の出力端に接続され平滑コンデンサを含んでなる直流電源回路と、前記交流電源から前記平滑コンデンサを充電する経路に接続されるスイッチング素子と、少なくとも前記スイッチング素子を含み前記直流電源回路の出力端に接続されるインバータ回路と、前記インバータ回路の出力端に接続され放電灯を含んでなるインバータ負荷と、前記放電灯のフィラメントを介して前記直流電源回路の両端に接続される無負荷検出回路と、前記交流電源から前記平滑コンデンサを充電する経路に接続されるプリチャージ回路とを備え、前記交流電源の電源投入から一定時間は、前記プリチャージ回路により前記平滑コンデンサを充電すると共に前記インバータ回路の発振を停止し、前記一定時間経過後は、前記スイッチング素子により前記平滑コンデンサを充放電すると共に前記インバータ回路を発振する放電灯点灯装置において、前記無負荷検出回路は、前記直流電源回路から前記放電灯のフィラメントを介して直流電流を流し、前記直流電流のコンデンサへの充電電圧が基準電圧以下の場合に無負荷と検出するものであり、前記無負荷検出回路と前記プリチャージ回路との間に、直流電圧あるいは直流電流の少なくとも一方を遮断する遮断手段を設けたことを特徴とする。
【００１３】
請求項２記載の発明によれば、遮断手段は、コンデンサであることを特徴とする。
【００１４】
請求項３記載の発明によれば、遮断手段は、ダイオードであることを特徴とする。
【００１５】
請求項４記載の発明によれば、インピーダンス素子とインバータ負荷を構成する振動要素とインバータ回路とを介して交流電源から入力電流を通電する電流経路を設けたことを特徴とする。
【００１６】
請求項５記載の発明によれば、無負荷検出回路は、インバータ負荷を構成する直流カット用コンデンサの両端電圧を検出することにより、放電灯のフィラメントの接続の有無を判断するものであることを特徴とする。
【００１７】
請求項６記載の発明によれば、直流電源回路とスイッチング素子とで降圧チョッパ回路を構成することを特徴とする。
【００１８】
【実施の形態】
（実施の形態１）
本発明に係る第１の実施の形態の回路図を図１に示す。
【００１９】
図１０に示した従来例と異なる点は、スイッチング素子Ｑ１及びスイッチング素子Ｑ２の接続点とインダクタＬ２の一端との間にコンデンサＣ７を接続したことであり、その他の従来例と同一構成には同一符号を付すことにより説明を省略する。
【００２０】
この様に構成したことにより、電圧Ｖｃ１からの抵抗Ｒ２、フィラメントｆ１、抵抗Ｒ３、ツェナーダイオードＺＤ１、ダイオードＤ３、コンデンサＣ５、抵抗Ｒ４で構成されている無負荷検出回路と、抵抗Ｒ１、スイッチング素子Ｑ３で構成されるプリチャージ回路とが、直流的に遮断され、無負荷検出回路は、プリチャージ期間中にプリチャージ回路に影響されることなく、正常な検出動作を行うことができる。
【００２１】
（実施の形態２）
本発明に係る第２の実施の形態の回路図を図２に示す。
【００２２】
図１に示した第１の実施の形態と異なる点は、フィラメントｆ１とフィラメントｆ２とを共通の直流電流ループに接続して、無負荷検出回路、検出部、検出出力を１つにし、また、コンデンサＣ７の代わりにスイッチング素子Ｑ１及びスイッチング素子Ｑ２の接続点と抵抗Ｒ１との間にダイオードＤ５を接続したことであり、その他の第１の実施の形態と同一構成には同一符号を付すことにより説明を省略する。
【００２３】
ここで、無負荷検出回路は、電圧Ｖｃ１の両端に接続された抵抗Ｒ２、フィラメントｆ１、抵抗Ｒ１１、フィラメントｆ２、抵抗Ｒ１２、ツェナーダイオードＺＤ３の直列回路と、ダイオードＤ１１を介してツェナーダイオードＺＤ３の両端に接続されたコンデンサＣ１１と、コンデンサＣ１１の両端に接続された抵抗Ｒ１３とから構成され、検出部３は、コンデンサＣ１１の両端電圧（以下、電圧と呼ぶ。）Ｖｃ１１を受けて検出出力をする。その動作は、上記従来例で述べたものと同様に、フィラメントｆ１、ｆ２共に接続されている場合には、電圧Ｖｃ１１が検出部３の基準電圧を上回ってハイレベルを出力し、また、少なくともフィラメントｆ１、ｆ２の一方が未接続の場合は、 電圧Ｖｃ１１が検出部３の基準電圧を下回ってローレベルを出力する。
【００２４】
この様に構成したことにより、無負荷検出回路とプリチャージ回路とが直流的に遮断され、無負荷検出回路は、プリチャージ期間中にプリチャージ回路に影響されることなく、正常な検出動作を行うことができる。
【００２５】
（実施の形態３）
本発明に係る第３の実施の形態の回路図を図３に示す。
【００２６】
図１に示した第１の実施の形態と異なる点は、 フィラメントｆ１とフィラメントｆ２とを共通の直流電流ループに接続して、無負荷検出回路、検出部、検出出力を１つにし、また、コンデンサＣ４の両端電圧（以下、電圧と呼ぶ。）Ｖｃ４を検出することにより無負荷を検出する様に構成したことであり、その他の第１の実施の形態と同一構成には同一符号を付すことにより説明を省略する。
【００２７】
ここで、無負荷検出回路は、電圧Ｖｃ１の両端に接続された抵抗Ｒ２、フィラメントｆ１、抵抗Ｒ１１、フィラメントｆ２、コンデンサＣ４の直列回路から構成される。その動作は、次の通りである。
【００２８】
まず、フィラメントｆ１、ｆ２共に接続されている場合には、交流電源Ｖｓ投入後、電圧Ｖｃ１から抵抗Ｒ２、フィラメントｆ１、コンデンサＣ３及び抵抗Ｒ１１、フィラメントｆ２を介してコンデンサＣ４に充電電流が流れ、電圧Ｖｃ４＝電圧Ｖｃ１になるまで充電される。プリチャージ期間終了時には、電圧Ｖｃ４と検出部４の基準電圧とを比較し、電圧Ｖｃ４の方が大きい場合には、放電灯Ｌａが正常に接続されていると判断して、検出部４はハイレベルを出力し、インバータ回路は発振動作を開始する。一方、 フィラメントｆ１、ｆ２の少なくとも一方が接続されていない場合には、電圧Ｖｃ１からコンデンサＣ４に充電される経路が遮断されるために、コンデンサＣ４は充電されない。プリチャージ期間終了時には、電圧Ｖｃ４と検出部４の基準電圧とを比較し、電圧Ｖｃ４の方が小さい場合には、無負荷状態であると判断して、検出部４はローレベルを出力し、インバータ回路は発振動作を停止する。
【００２９】
この様に構成したことにより、無負荷検出回路とプリチャージ回路とが直流的に遮断され、無負荷検出回路は、プリチャージ期間中にプリチャージ回路に影響されることなく、正常な検出動作を行うことができる。
【００３０】
（実施の形態４）
本発明に係る第４の実施の形態の回路図を図４に示す。
【００３１】
図１に示した第１の実施の形態と異なる点は、インバータ負荷をスイッチング素子Ｑ１の両端に接続し、フィラメントｆ１とフィラメントｆ２とを共通の直流電流ループに接続して、無負荷検出回路、検出部、検出出力を１つにし、コンデンサＣ７の代わりにスイッチング素子Ｑ１、Ｑ２の接続点及び抵抗Ｒ１間にダイオードＤ５を接続したことであり、その他の第１の実施の形態と同一構成には同一符号を付すことにより説明を省略する。
【００３２】
ここで、無負荷検出回路は、スイッチング素子Ｑ１の両端に接続された抵抗Ｒ１７と、電圧Ｖｃ１の両端に接続されたコンデンサＣ４、抵抗Ｒ１４、Ｒ１５、Ｒ１６の直列回路と、フィラメントｆ１、ｆ２と、放電灯Ｌａの非電源側端子間に接続された抵抗Ｒ１１とから構成される。その動作は、次の通りである。
【００３３】
まず、フィラメントｆ１、ｆ２共に接続されている場合には、交流電源Ｖｓ投入後、電圧Ｖｃ１から抵抗Ｒ１７、インダクタＬ２、フィラメントｆ２、コンデンサＣ３及び抵抗Ｒ１１、フィラメントｆ１、抵抗Ｒ１４、Ｒ１５、Ｒ１６を介して直流ループ回路が形成され、コンデンサＣ４には、Ｖｃ４＝（Ｒ１１＋Ｒ１７）×Ｖｃ１／（Ｒ１１＋Ｒ１７＋Ｒ１４＋Ｒ１５＋Ｒ１６）の電圧が発生し、従って、抵抗Ｒ１６の両端には、ＶＲ６＝Ｒ１６×Ｖｃ１／（Ｒ１１＋Ｒ１７＋Ｒ１４＋Ｒ１５＋Ｒ１６）の電圧が発生する。プリチャージ期間終了時には、電圧ＶＲ６と検出部５の基準電圧とを比較し、電圧ＶＲ６の方が大きい場合には、放電灯Ｌａが正常に接続されていると判断して、検出部５はハイレベルを出力し、インバータ回路は発振動作を開始する。一方、フィラメントｆ１、ｆ２の少なくとも一方が接続されていない場合には、上記直流ループ回路は遮断されるために、コンデンサＣ４にはＶｃ４＝Ｖｃ１という電圧が発生し、従って、ＶＲ６＝零ボルトとなる。よって、プリチャージ期間終了時には無負荷状態であると判断して、検出部５はローレベルを出力し、インバータ回路は発振動作を停止する。
【００３４】
この様に構成したことにより、無負荷検出回路とプリチャージ回路とが直流的に遮断され、無負荷検出回路は、プリチャージ期間中にプリチャージ回路に影響されることなく、正常な検出動作を行うことができる。
【００３５】
（実施の形態５）
本発明に係る第５の実施の形態の回路図を図５に示す。
【００３６】
図２に示した第２の実施の形態と異なる点は、インダクタＬ２は、共振用コンデンサ（以下、コンデンサと呼ぶ。）Ｃ８を介してフィラメントｆ２及びスイッチング素子Ｑ２のソース端子間に接続すると共に２次巻線ｎ２、ｎ３を有するものとし、コンデンサＣ３の代わりに、インダクタＬ２の２次巻線ｎ２、ｎ３の両端から各々コンデンサＣ１３、Ｃ１２を介してフィラメントｆ１、ｆ２を並列接続してフィラメント電流を供給し、放電灯Ｌａの電源側端子間に共振用コンデンサ（以下、コンデンサと呼ぶ。）Ｃ１０を接続したことであり、その他の第２の実施の形態と同一構成には同一符号を付すことにより説明を省略する。
【００３７】
ここで、無負荷検出回路は、電圧Ｖｃ１の両端に接続された抵抗Ｒ２、フィラメントｆ１、抵抗Ｒ１１、フィラメントｆ２、インダクタＬ２、抵抗Ｒ１２、ツェナーダイオードＺＤ３の直列回路と、ダイオードＤ１１を介してツェナーダイオードＺＤ３の両端に接続されたコンデンサＣ１１と、コンデンサＣ１１の両端に接続された抵抗Ｒ１３とから構成される。その動作は上記実施の形態２と同様である。
【００３８】
この様に構成したことにより、直流カット用コンデンサ（以下、コンデンサと呼ぶ。）Ｃ４で、無負荷検出回路とプリチャージ回路とが直流的に遮断され、無負荷検出回路は、プリチャージ期間中にプリチャージ回路に影響されることなく、正常な検出動作を行うことができる。
【００３９】
（実施の形態６）
本発明に係る第６の実施の形態の回路図を図６に示す。
【００４０】
図５に示した第５の実施の形態と異なる点は、 コンデンサＣ４とコンデンサＣ８との接続箇所を入れ替え、電圧Ｖｃ４を検出することにより、無負荷を検出する様に構成したことであり、その他の第５の実施の形態と同一構成には同一符号を付すことにより説明を省略する。また、無負荷検出回路の動作は、上記第３の実施の形態と同様に、電圧Ｖｃ４を検出するものである。
【００４１】
この様に構成したことにより、コンデンサＣ８で、無負荷検出回路とプリチャージ回路とが直流的に遮断され、無負荷検出回路は、プリチャージ期間中にプリチャージ回路に影響されることなく、正常な検出動作を行うことができる。
【００４２】
（実施の形態７）
本発明に係る第７の実施の形態の回路図を図７に示す。
【００４３】
図２に示した第２の実施の形態と異なる点は、 降圧チョッパ回路及びプリチャージ回路を、図２に示すものの反転型にしたことであり、その他の第２の実施の形態と同一構成には同一符号を付すことにより説明を省略する。
【００４４】
ここで、降圧チョッパ回路は、コンデンサＣ１の両端に接続されたダイオードＤ１及び平滑コンデンサＣ２の直列回路と、ダイオードＤ１及び平滑コンデンサＣ２の接続点とスイッチング素子Ｑ１及びスイッチング素子Ｑ２の接続点との間に接続されたインダクタＬ１及びダイオードＤ３からなる直列回路と、スイッチング素子Ｑ１とから構成される。そして、スイッチング素子Ｑ１がオンすると、整流器ＤＢ→スイッチング素子Ｑ１→ダイオードＤ３→インダクタＬ１→平滑コンデンサＣ２→整流器ＤＢの経路で入力電流が流れ、スイッチング素子Ｑ１がオフすると、インダクタＬ１→平滑コンデンサＣ２→スイッチング素子Ｑ２のボディダイオード→ダイオードＤ３→インダクタＬ１の経路で電流が流れ、コンデンサＣ１の両端には電圧Ｖｃ１が発生する。また、プリチャージ回路は、スイッチング素子Ｑ１の両端に接続された抵抗Ｒ１及びスイッチング素子Ｑ３の直列回路から構成される。そして、プリチャージ期間には、整流器ＤＢ→抵抗Ｒ１→スイッチング素子Ｑ３→インダクタＬ１→平滑コンデンサＣ２→整流器ＤＢの経路で平滑コンデンサＣ２の充電が行われる。
【００４５】
この様に構成したことにより、ダイオードＤ３で、無負荷検出回路とプリチャージ回路とが直流的に遮断され、無負荷検出回路は、プリチャージ期間中にプリチャージ回路に影響されることなく、正常な検出動作を行うことができる。
【００４６】
（実施の形態８）
本発明に係る第８の実施の形態の回路図を図８に示す。
【００４７】
図２に示した第２の実施の形態と異なる点は、入力電流高調波歪改善可能な様に、スイッチング素子Ｑ１、Ｑ２の出力側回路を構成したことであり、その他の第２の実施の形態と同一構成には同一符号を付すことにより説明を省略する。
【００４８】
スイッチング素子Ｑ１、Ｑ２の出力側回路の構成は、整流器ＤＢの負側の出力端及びスイッチング素子Ｑ２のソース端子間にダイオードＤ２１、Ｄ２２の直列回路を順方向接続し、スイッチング素子Ｑ１、Ｑ２の接続点及びダイオードＤ２１、Ｄ２２の接続点間にコンデンサＣ２１、放電灯Ｌａ、インダクタＬ３、直流カット用コンデンサＣ２２の直列回路を接続し、ダイオードＤ２２の両端にコンデンサＣ２３を並列接続し、放電灯Ｌａの非電源側端子間に共振用コンデンサ（以下、コンデンサと呼ぶ。）Ｃ３を並列接続し、無負荷検出回路を接続している。無負荷検出回路は、コンデンサＣ２１を介してスイッチング素子Ｑ１の両端に接続した抵抗Ｒ２と、コンデンサＣ３の両端に接続した抵抗Ｒ１１と、フィラメントｆ２及びインダクタＬ３の接続点とグランドとの間に接続した抵抗Ｒ２１及びツェナーダイオードＺＤ３の直列回路と、ダイオードＤ１１を介してツェナーダイオードＺＤ３の両端に接続したコンデンサＣ１１と、コンデンサＣ１１の両端に接続した抵抗Ｒ１３とから構成される。
【００４９】
次に動作を簡単に説明する。先ず、インバータ回路の動作について説明する。
スイッチング素子Ｑ１オン、スイッチング素子Ｑ２オフのとき、コンデンサＣ１→スイッチング素子Ｑ１→コンデンサＣ２１→コンデンサＣ３（放電灯Ｌａ）→インダクタＬ３→コンデンサＣ２２→コンデンサＣ２３→コンデンサＣ１の経路で電流が流れ、コンデンサＣ２３が充電される。また、電圧Ｖｃ１とコンデンサＣ２３の両端電圧との和が整流器ＤＢの両端出力電圧よりも低くなったとき、入力側より整流器ＤＢ→スイッチング素子Ｑ１→コンデンサＣ２１→コンデンサＣ３（放電灯Ｌａ）→インダクタＬ３→コンデンサＣ２２→ダイオードＤ２１→整流器ＤＢの経路で電流が流れる。以上より、 スイッチング素子Ｑ１オン、スイッチング素子Ｑ２オフのとき、インダクタＬ３にエネルギーが蓄積される。スイッチング素子Ｑ１がオフ、スイッチング素子Ｑ２がオンのとき、整流器ＤＢ→コンデンサＣ１→スイッチング素子Ｑ２のボディダイオード→コンデンサＣ２１→コンデンサＣ３（放電灯Ｌａ）→インダクタＬ３→コンデンサＣ２２→ダイオードＤ２１→整流器ＤＢの経路で電流が流れる。この電流は、インダクタＬ３に蓄積されたエネルギーが放出される為に流れる。これにより入力側からコンデンサＣ１が充電される。また、コンデンサＣ２３→コンデンサＣ２２→インダクタＬ３→コンデンサＣ３（放電灯Ｌａ）→コンデンサＣ２１→スイッチング素子Ｑ２→コンデンサＣ２３の経路で電流が流れ、コンデンサＣ２３の電荷は放電する。コンデンサＣ２３の電荷放電後は、ダイオードＤ２２→コンデンサＣ２２→インダクタＬ３→コンデンサＣ３（放電灯Ｌａ）→コンデンサＣ２１→スイッチング素子Ｑ２→ダイオードＤ２２の経路で電流が流れる。
【００５０】
以上の様に動作することにより、コンデンサＣ３の両端には高周波電圧が発生し、放電灯Ｌａが点灯する。また、入力電源電圧がいかなる場合においても、入力電流が流れ込むモードがあることから、入力電流の高調波歪を改善することができる。
【００５１】
降圧チョッパ回路の動作は上記従来例に示したとおりである。無負荷検出回路は、電圧Ｖｃ１の高圧側から抵抗Ｒ２、フィラメントｆ１、抵抗Ｒ１１、フィラメントｆ２、抵抗Ｒ２１、ダイオードＤ１１を介してコンデンサＣ１１に直流電流を流し、コンデンサＣ１１の両端電圧によりフィラメントの有無を検出する方法であり、上記実施の形態２、５、７と同様である。
【００５２】
この様に構成したことにより、コンデンサＣ２１で、無負荷検出回路とプリチャージ回路とが直流的に遮断され、無負荷検出回路は、プリチャージ期間中にプリチャージ回路に影響されることなく、正常な検出動作を行うことができる。
【００５３】
（実施の形態９）
本発明に係る第９の実施の形態の回路図を図９に示す。
【００５４】
図８に示した第８の実施の形態と異なる点は、本回路は、図８に示す回路を高圧側と低圧側とで互いに反転させ、コンデンサＣ２１の代わりに、スイッチング素子Ｑ１及びスイッチング素子Ｑ２の接続点とインダクタＬ１との間にダイオードＤ２３を接続したことであり、その他の第８の実施の形態と同一構成には同一符号を付すことにより説明を省略する。
【００５５】
この様に構成したことにより、ダイオードＤ２３で、無負荷検出回路とプリチャージ回路とが直流的に遮断され、無負荷検出回路は、プリチャージ期間中にプリチャージ回路に影響されることなく、正常な検出動作を行うことができる。
【００５６】
【発明の効果】
請求項１、２、３、５、６記載の発明によれば、無負荷検出回路とプリチャージ回路とを備え、プリチャージ期間中にも正常に無負荷検出が可能な放電灯点灯装置を提供できる。
【００５７】
請求項４記載の発明によれば、請求項１記載の発明の効果に加えて、入力電流高調波歪を改善可能な放電灯点灯装置を提供できる。
【図面の簡単な説明】
【図１】本発明に係る第１の実施の形態の回路図を示す。
【図２】本発明に係る第２の実施の形態の回路図を示す。
【図３】本発明に係る第３の実施の形態の回路図を示す。
【図４】本発明に係る第４の実施の形態の回路図を示す。
【図５】本発明に係る第５の実施の形態の回路図を示す。
【図６】本発明に係る第６の実施の形態の回路図を示す。
【図７】本発明に係る第７の実施の形態の回路図を示す。
【図８】本発明に係る第８の実施の形態の回路図を示す。
【図９】本発明に係る第９の実施の形態の回路図を示す。
【図１０】本発明に係る従来例の回路図を示す。
【符号の説明】
Ｃ        コンデンサ
ＤＢ      整流器
Ｄ        ダイオード
ｆ        フィラメント
Ｌａ      放電灯
Ｑ        スイッチング素子
Ｖｓ      交流電源
【図１】
0003807059.tif 000002
【図２】
0003807059.tif 000003
【図３】
0003807059.tif 000004
【図４】
0003807059.tif 000005
【図５】
0003807059.tif 000006
【図６】
0003807059.tif 000007
【図７】
0003807059.tif 000008
【図８】
0003807059.tif 000009
【図９】
0003807059.tif 000010
【図１０】
0003807059.tif 000011